(57)【要約】【課題】節糸織り製織時に節糸が筬羽に引っ掛かりにくく、糸切れを生じにくい節糸製織用筬を提供すること。【解決手段】基枠体３内に多数の筬羽２が間隔を置いて並設状態に設けられ、多数の筬羽２は、下端が基枠体３に固定されて端は基枠体３に非固定の自由端となるように構成されているか、若しくは上端が基枠体３に固定されて下端は基枠体３に非固定の自由端となるように構成されていて、この多数の筬羽２間に節糸１を通して筬打ちすると、節糸１の太さの変化に倣って筬羽２が可動し筬羽２間の並設間隔が変化するように構成されている節糸製織用筬。【選択図】図２
2018193632.tif 000002
【特許請求の範囲】
【請求項１】
太さが不均一な節糸を製織する際に用いられる節糸製織用筬であって、基枠体内に多数の筬羽が間隔を置いて並設状態に設けられており、多数の前記筬羽は、下端が前記基枠体に固定されて上端は基枠体に非固定の自由端となるように構成されているか、若しくは上端が基枠体に固定されて下端は基枠体に非固定の自由端となるように構成されていて、この多数の筬羽間に節糸を通して筬打ちすると、節糸の太さの変化に倣って筬羽が可動し筬羽間の並設間隔が変化するように構成されていることを特徴とする節糸製織用筬。
【請求項２】
多数の前記筬羽は、少なくともこの筬羽の並設方向に撓み変形可能な弾性を有していて、この多数の筬羽間に節糸を通して筬打ちすると、節糸の太さの変化に倣って筬羽がその並設方向に撓み変形可動し筬羽間の並設間隔が変化するように構成されていることを特徴とする請求項１記載の節糸製織用筬。
【請求項３】
前記基枠体は、上枠部と下枠部を有し、この上枠部に、多数の筬羽の上端を非固定で筬羽並設方向へ可動自在に支持する自由端支持部が設けられているか、若しくは前記下枠部に、多数の筬羽の下端を非固定で筬羽並設方向へ可動自在に支持する自由端支持部が設けられていることを特徴とする請求項１，２のいずれか１項に記載の節糸製織用筬。
【請求項４】
前記基枠体の上枠部に、多数の前記筬羽の上端を非固定で筬羽並設方向に可動自在に支持する溝状の前記自由端支持部が設けられているか、若しくは前記基枠体の下枠部に、多数の前記筬羽の下端を非固定で筬羽並設方向に可動自在に支持する溝状の前記自由端支持部が設けられていることを特徴とする請求項３記載の節糸製織用筬。
【発明の詳細な説明】
【技術分野】
【０００１】
本発明は、織機に用いられる節糸製織用筬に関するものである。
【背景技術】
【０００２】
織機に用いられる筬は、上枠部と下枠部の間に多数の細長い筬羽が等間隔を置いて取り付けられている構造が一般的である（例えば、特許文献１参照）。
【先行技術文献】
【特許文献】
【０００３】
【特許文献１】特開２０１１−６８０１号公報
【発明の概要】
【発明が解決しようとする課題】
【０００４】
製織には太さが均一な糸を用いるのが一般的であるが、太さが均一でない節糸を用いて製織することも可能であり、例えば経糸に節糸を用いて製織された織物（以下、「節糸織り」と称す。）は、通常の織物にはない不規則な編目（節）が表れることによる独特な味わいと風合いを持つもの（図４参照）になるので、これも商品価値の高い織物である。
【０００５】
しかしながら、このような節糸織りを得るべく節糸を織機の筬に通して製織すると、筬に設けられている多数の筬羽は、上下両端が上枠部と下枠部に固定されていて筬羽間の間隔が不変であることから、節糸の筬羽間の間隔より太い部分が筬羽に引っ掛かり易く、この引っ掛かりが原因で節糸が切れて修復作業を要することが往々にしてあった。
【０００６】
本発明は、このような節糸製織の際に生じる筬の問題点に鑑み、これを解決しようとするもので、製織時に節糸が筬羽に引っ掛かりにくく、糸切れを生じにくい実用性に優れた節糸製織用筬を提供するものである。
【課題を解決するための手段】
【０００７】
添付図面を参照して本発明の要旨を説明する。
【０００８】
太さが不均一な節糸１を製織する際に用いられる節糸製織用筬Ｒであって、基枠体３内に多数の筬羽２が間隔を置いて並設状態に設けられており、多数の前記筬羽２は、下端が前記基枠体３に固定されて上端は基枠体３に非固定の自由端となるように構成されているか、若しくは上端が基枠体３に固定されて下端は基枠体３に非固定の自由端となるように構成されていて、この多数の筬羽２間に節糸１を通して筬打ちすると、節糸１の太さの変化に倣って筬羽２が可動し筬羽２間の並設間隔が変化するように構成されていることを特徴とする節糸製織用筬に係るものである。
【０００９】
また、多数の前記筬羽２は、少なくともこの筬羽２の並設方向に撓み変形可能な弾性を有していて、この多数の筬羽２間に節糸１を通して筬打ちすると、節糸１の太さの変化に倣って筬羽２がその並設方向に撓み変形可動し筬羽２間の並設間隔が変化するように構成されていることを特徴とする請求項１記載の節糸製織用筬に係るものである。
【００１０】
また、前記基枠体３は、上枠部４と下枠部５を有し、この上枠部４に、多数の筬羽２の上端を非固定で筬羽２並設方向へ可動自在に支持する自由端支持部６が設けられているか、若しくは前記下枠部５に、多数の筬羽２の下端を非固定で筬羽２並設方向へ可動自在に支持する自由端支持部６が設けられていることを特徴とする請求項１，２のいずれか１項に記載の節糸製織用筬に係るものである。
【００１１】
また、前記基枠体３の上枠部４に、多数の前記筬羽２の上端を非固定で筬羽２並設方向に可動自在に支持する溝状の前記自由端支持部６が設けられているか、若しくは前記基枠体３の下枠部５に、多数の前記筬羽２の下端を非固定で筬羽２並設方向に可動自在に支持する溝状の前記自由端支持部６が設けられていることを特徴とする請求項３記載の節糸製織用筬に係るものである。
【発明の効果】
【００１２】
本発明は上述のように構成したから、筬打ち時に節糸の太さの変化に倣って筬羽が可動し筬羽間の並設間隔が変化するので、節糸が筬羽に引っ掛かることによる糸切れを生じにくく、節糸織りをスムーズに製織可能となる極めて実用性に優れた節糸製織用筬となる。
【００１３】
また、請求項２記載の発明においては、節糸の太さの変化に倣って可動し易い筬羽を、簡易構成により容易に実現可能となる一層実用性に優れた節糸製織用筬となる。
【００１４】
また、請求項３，４記載の発明においては、筬羽間の並設間隔が節糸の太さの変化に倣って確実に変化する構成を、簡易に設計実現可能となる一層実用性に優れた節糸製織用筬となる。
【図面の簡単な説明】
【００１５】
【図１】本実施例を用いた織機を示す概略説明斜視図である。
【図２】本実施例を示す説明部分拡大斜視図である。
【図３】本実施例の、節糸の太さに倣って筬羽間の間隔が変化する様子を示す説明部分拡大平断面図である。
【図４】節糸を用いて製織された織物（節糸織り）を示す部分拡大斜視図である。
【発明を実施するための形態】
【００１６】
好適と考える本発明の実施形態を、図面に基づいて本発明の作用を示して簡単に説明する。
【００１７】
太さが不均一な節糸１を用いて節糸織りＦを製織する場合に、本発明の節糸製織用筬Ｒを織機Ｌにセットする。
【００１８】
節糸製織用筬Ｒの多数の筬羽２間に節糸１を経糸１として通し、節糸製織用筬Ｒを筬打ちすることによって節糸織りＦを製織してゆくが、この筬打ちの際、下端が前記基枠体３に固定されて上端は基枠体３に非固定の自由端となるように構成されているか、若しくは上端が基枠体３に固定されて下端は基枠体３に非固定の自由端となるように構成されている多数の筬羽２は、節糸１の太さの変化に倣って可動し、これにより筬羽２間の並設間隔が変化する。
【００１９】
即ち、この節糸１の太さの変化に倣った筬羽２間の並設間隔の変化によって筬打ち時に節糸１が筬羽２に引っ掛かりにくくなり、節糸１切れが生じにくくなるので、節糸織りＦをスムーズに製織可能となる。
【実施例】
【００２０】
本発明の具体的な実施例について図面に基づいて説明する。
【００２１】
先ず、図１を用いて織機Ｌ（和装織機Ｌ）を説明する。詳細な図示は省略しているが、複数枚の綜絖８が図１の奥行き方向に並設されていて、例えばそのうちの半数には多数の経糸１のうちの偶数番の経糸１が通され、残りの半数には奇数番の経糸１が通されて、この偶数番の経糸１を通した一若しくは複数の綜絖８と、奇数番の経糸１を通した一若しくは複数の綜絖８とを互い違いに上下動させて偶数と奇数の経糸１を開口し、この開口にシャトル９によって緯糸10を通した後、図中矢印Ｙのように経糸１に沿って可動する筬Ｒにより緯糸10を筬打ちして織物Ｆを製織する構成である。
【００２２】
本実施例は、例えばこの図１に示したような和装織機Ｌに、筬Ｒとして設けて使用する節糸製織用筬Ｒに係るもので、基枠体３内に多数の筬羽２が等しい小間隔を置いて並設状態に設けられている。
【００２３】
具体的には、前記基枠体３は、図１，図２に示すように、上下に横設状態で配設される上枠部４及び下枠部５と、この上枠部４と下枠部５の両端部間に縦設状態で配設される側枠部７とから成る横長方形枠体に構成されている。以下、本実施例では、基枠体３の長さ方向を左右方向、この左右方向と直交する基枠体３への節糸１（経糸１）通し方向を前後方向と定めて説明する。
【００２４】
多数の前記筬羽２は、金属製の帯板で構成され（図２参照）、この筬羽２の板面同士が基枠体３の左右方向に向き合いつつ並設するようにして、上枠部４と下枠部５との間に縦設状態で架設され、この筬羽２の隣接する板面間の隙間に節糸１が通されるように構成されている。
【００２５】
また、この多数の筬羽２は、図２に示すように、下端が前記基枠体３の下枠部５に植設状態に固定され、上端は基枠体３の上枠部４に非固定で自由端となるように構成されている。尚、図示していないが、多数の筬羽２の上端が基枠体３の上枠部４に固定されて下端が基枠体３の下枠部５に非固定の自由端となるように構成（下枠部５に後述の自由端支持部６が設けられる構成が採用）されていても良い。
【００２６】
また、多数の筬羽２の上端（自由端）は、基枠体３の上枠部４に設けられている自由端支持部６に支持されている。
【００２７】
この自由端支持部６について説明すると、前記基枠体３の側枠部８は、図２に示すように、前後方向に板厚を有する帯板状の枠部材で構成されていると共に、この側枠部８の板厚寸法が、前記筬羽２の板幅寸法と略同等に設定されており、さらにこの側枠部８の上端部に、この上端部を前後から挟み込むようにして帯板状の上枠材４Ａが横設状態で付設されて、この前後の上枠材４Ａが前記上枠部４として構成されている。
【００２８】
このように上枠部４を構成したことにより、この上枠部４の前後の上枠材４Ａ間には、上下方向に開放する溝（細長いくぼみ）状であって側枠部８板厚分の溝幅を具備する溝状間隙部分６が存在しているが、本実施例では、この溝状間隙部分６が多数の筬羽２の上端を非固定で筬羽２並設方向に可動自在に支持する前記自由端支持部６として構成されている。
【００２９】
即ち、本実施例では、この自由端支持部（溝状間隙部分６）に多数の筬羽２の上端が挿入配設支持されており、この溝状間隙部分６に配設支持された筬羽２の上端部は、この溝状間隙部分６に沿って基枠体３の左右方向へは移動可能であるが、この自由端支持部６の溝幅が筬羽３の板幅（前後幅）と同等であるため、基枠体３の前後方向へはほとんど移動できない状態となるように構成されている。
【００３０】
また、この多数の筬羽２は、少なくともこの筬羽２の並設方向に撓み変形可能な弾性を有する金属素材で構成されていて、この多数の筬羽２間に節糸１を配して本実施例の節糸製織用筬Ｒを筬打ちすると（基枠体３を節糸１の長さ方向に移動させると）、図３（ａ），（ｂ）に示すように、節糸１の太さの変化に倣って多数の筬羽２がその筬羽２並設方向に撓み変形可動し、筬羽２間の並設間隔が変化するように構成されている。
【００３１】
従って、本実施例の節糸製織用筬Ｒによれば、筬打ち時に節糸１の太さの変化に倣って筬羽２間の並設間隔が変化するので、節糸１が筬羽２に引っ掛かりにくく、節糸１切れが生じにくくなり、節糸織りＦをスムーズに製織可能となる。
【００３２】
尚、本発明は、本実施例に限られるものではなく、各構成要件の具体的構成は適宜設計し得るものである。
【符号の説明】
【００３３】
１  節糸
２  筬羽
３  基枠体
４  上枠部
５  下枠部
６  自由端支持部
Ｒ  節糸製織用筬
【図１】
2018193632.tif 000003
【図２】
2018193632.tif 000004
【図３】
2018193632.tif 000005
【図４】
2018193632.tif 000006